(57)【特許請求の範囲】
【請求項１】
固形燃料を燃焼して温水および蒸気を製造する装置の燃焼炉の壁部位および天井部位において、外形が概ね扁平直方体の形状をなし連結可能な形態をなしたユニット部材で内部に水を貯留可能な空間を有し且つ外面となる面に内部空間への注入・排出口が２箇所以上配設され更には外面となる面と内面となる面を連結する管状の貫通穴を２箇所以上有したユニット部材が合計で３個以上用いられていると共に前記管状の貫通穴を利用して温水または蒸気製造配管が配設されていて、且つ、燃焼炉の壁部位のユニット部材の内部側に内部側壁面と平行に間隙を確保して穴あき鋼板が配設されていることを特徴とする温水・蒸気製造装置。
【請求項２】
前記管状の貫通穴を利用して燃焼用給気管または着火バーナーを配設していることをことを特徴とする請求項１に記載の温水・蒸気製造装置。
【請求項３】
前記管状の貫通穴を火格子の支持または燃焼材の攪拌機・攪拌装置の軸材の支持に利用していることをことを特徴とする請求項１または請求項２に記載の温水・蒸気製造装置。
【発明の詳細な説明】
【技術分野】
【０００１】
本発明は、主に木や竹等の植物固形燃料を燃焼し温水および蒸気を製造する温水・蒸気製造装置に関するものである。
【背景技術】
【０００２】
近年の化石燃料資源の過剰消費は廃気による大気汚染や温暖化等の地球環境悪化問題と燃料資源の枯渇問題を惹起し其の解決への取り組みは喫緊の課題となって来ている。一方では、我が国においては、輸入木材との価格競争力等の問題から森林が荒れ間伐材の放置や強風や大雨による倒木や流木等による木材処理問題が生じ其の解決への取り組みも喫緊の課題となって来ている。また、公園や街路樹等の緑化管理廃棄材の処理や雑木等の処理に関しても効果的な解決策を求められて来ている。このため、化石エネルギーの代替としての植物エネルギーの利用が注目されている。
【０００３】
植物エネルギーの利用としては、エタノール化、ガス化、直接燃焼等の方法がある。しかし、エタノール化、ガス化は設備が大規模で複雑にならざる得ず製造プロセスでの消費エネルギーも必要になるので本当に効率的なエネルギー利用方法かどうかの評価は更に検討の必要があると考えられる。また、木材は主成分がリグニンとセルロースとからなり全てをエタノール化することは技術的に容易ではないとも言われている。
【０００４】
この様なことから、草木の直接燃焼による燃焼エネルギーの温水や蒸気での利用や蒸気による発電での利用がもっと評価されてよい考えられる。しかし、従来の草木の燃焼エネルギーを温水や蒸気として利用が出来る大型燃焼装置の多くはゴミの焼却が主目的で草木の燃焼は副次的であり草木燃焼主体の有効な利用手段としては期待出来難い。そして、新たな草木の燃焼主体の大型燃焼設備を考えると設備能力に見合うだけの草木の集積が困難でありこれも有効な利用手段としては期待出来難いと考えられる。一方、従来の草木の燃焼が出来る小型燃焼装置の多くが焼却目的だけであり燃焼熱を利用するとしても少しの改造だけでは燃焼エネルギーの利用効率の高い温水や蒸気の製造は困難であり、新たなコンセプトの小型燃焼装置が必要となると考えられる。また、草木利用の小型燃焼装置の活用場所には森林に近い山間部の道路事情の良くない場所も想定されるので、耐火レンガ等を組み込んだ様な重量燃焼装置は移送に課題点があり運搬が容易な燃焼装置が求められて来ると考えられる。
【０００５】
そして、燃焼熱の利用を目的とした燃焼装置の新たな提案もなされているが、例えば、特開２００６−２０７８６５号公報の例の様に、耐火煉瓦を含めた一体化された重量な燃焼装置であり運搬が容易でないと共に燃焼装の壁体等からの熱放散ロスに関しては余り重用視していない様でありエネルギー利用効率の向上を図るべき余地があると考えられる。この様なことから、運搬が容易で現地で容易に組立出来るとともに草木の燃焼エネルギーの利用効率の良い小型燃焼装置が期待されている。
【特許文献１】特開２００６−２０７８６５号公報
【発明の開示】
【発明が解決しようとする課題】
【０００６】
本発明が解決しようとする課題は、前述の従来技術の問題点を鑑みて、草木の燃焼エネルギーの利用効率が良く温水や蒸気の製造が出来て、しかも、軽量な部材を運搬し現地で容易に組立出来る温水・蒸気製造装置を提供することを目的とする。
【課題を解決するための手段】
【０００７】
前述の課題を解決して目的を達成する手段として、本発明の温水・蒸気製造装置は、固形燃料を燃焼して温水および蒸気を製造する装置の燃焼炉の壁部位および天井部位において、外形が概ね扁平直方体の形状をなし連結可能な形態をなしたユニット部材で内部に水を貯留可能な空間を有し且つ外面となる面に内部空間への注入・排出口が２箇所以上配設され更には外面となる面と内面となる面を連結する管状の貫通穴を２箇所以上有したユニット部材が合計で３個以上用いられていると共に前記管状の貫通穴を利用して温水または蒸気製造配管が配設されていて、且つ、燃焼炉の壁部位のユニット部材の内部側に内部側壁面と平行に間隙を確保して穴あき鋼板が配設されていることを最も主要な特徴とする。
【０００８】
付加して、前記管状の貫通穴を利用して燃焼用給気管または着火バーナーを配設していることをことを特徴とする。
【０００９】
更に、付加して、前記管状の貫通穴を火格子の支持または燃焼材の攪拌機・攪拌装置の軸材の支持に利用していることをことを特徴とする。
【発明の効果】
【００１０】
本発明によれば、草木の燃焼エネルギーの利用効率が良く温水や蒸気の製造が出来て、しかも、軽量な部材を運搬し現地で容易に組立出来て、更に、必要に応じて蒸気発電も出来る温水・蒸気製造装置を提供出来る様になる。これにより、山間地等の道路事情の良くない場所でも容易に活用出来る様になり、燃料源の集積事情や温水や蒸気の用途事情を勘案した分散設置が容易になり、ひいては、化石エネルギーの代替としての植物エネルギーの利用の促進に貢献出来る。
【発明を実施するための最良の形態】
【００１１】
本発明を実施するための最良の形態としては、用途条件により異なるため、用途条件を勘案し前述の課題を解決するための手段から適宜選択し用途条件に適合した形態にすれば良い。以下に、本発明の温水・蒸気製造装置の実施例について図面に基づいて説明する。尚、本発明は当然ではあるが下記の例には限定されない。
【００１２】
本発明の実施例の説明として、図１は本発明に用いるユニット部材の１例の平面図・背面図ある。図２は図１の例の正面図・正面断面図であり、図３は図１の例の側面図・側面断面図である。図４はユニット部材の連結方法例図である。図５は燃焼炉におけるユニット部材の組付例の正面図である。図６は図５の例の平面図・側面図である。図７は図５の例の燃焼炉の正面断面図である。図８は図７の例の側面断面図である。図９は図７の例の平面断面図である。図１０は燃焼材送り出し装置の送り出し部位の説明図である。図１１は燃焼材攪拌装置の攪拌部位の説明図である。以下、本発明の実施の形態を図面を参照して説明する。
【実施例１】
【００１３】
先ず、本発明装置の燃焼炉に用いるユニット部材について説明する。ユニット部材１０は、例えば、図１〜３に示す様に、外形が概ね扁平直方体の形状なし連結可能な形態をなしている。そして、内部に水を貯留可能な空間１１を有し且つ外面となる面に内部空間への注入・排出口１２が２箇所以上配設され更には外面となる面と内面となる面を連結する管状の貫通穴１３を２箇所以上有している。更には、水抜き口１４が配設され、側部立ち上がり部にはユニット部材１０を連結するためのユニット部材連結用穴１５が施されている。そして、内部の水を貯留可能な空間１１には水の流れを調整するための水流調整部材１６が付設されている。また、材質としては、鉄またはステンレス等が好適である。そして、規模としては、幅および高さがそれぞれ約６０〜２００ｃｍを目処とし、貯留可能な空間１１の間隙が約４〜１５ｃｍを目処とし、幅／間隙の寸法比が約８〜１２の範囲を目処として設定される。また、平面形状としては主体は正方形として設定される。そして、注入・排出口１２、管状の貫通穴１３、水抜き口１４は、封止キャップまたは配管の連結が可能な形態をなしていて、配置としては基本的には左右・上下対称位置に適宜な間隔をもって配設される。また、注入・排出口１２の径は約２〜５ｃｍを目処に、管状の貫通穴１３の径は約４〜１０ｃｍを目処に、水抜き口１４の径は約１〜２ｃｍを目処に設定される。そして、ユニット部材連結用穴１５は適宜な均等間隔で配設され穴径としては約１〜２．５ｃｍを目処に設定される。
【００１４】
ユニット部材１０の連結方法としては、例えば、図４に示す様に、ユニット部材１０、１０同士を突き合わせて、ユニット部材連結用穴１５を利用して連結用ボルト・ナット３１を用いて、直接的または連結用Ｌ字状部材３２を介して連結させる。また、突き合わせ部には必要に応じて気体漏れ防止用の耐熱パッキンを付設させることも好ましい。
【００１５】
次に、ユニット部材１０を連結して形成された燃焼炉について説明する。燃焼炉１は、例えば、図５、６に示す様に、主要躯体を燃焼炉土台２０の上部にユニット部材１０を連結して形成される。尚、燃焼炉土台２０の間隙部には断熱材またはコンクリート２１が充填される。そして、前記注入・排出口１２を送水連結配管４０で適宜に連結し燃焼熱をユニット部材１０で温水または蒸気に変換して利用する。尚、注入・排出口１２の利用しない箇所は封止キャップで封止する。また、送水連結配管４０には適宜な箇所に流量調整バルブ等を配設される。そして、燃焼廃ガスの排気のための排気口１７を設けて排気ダクト等を介して除塵・排気設備へ連結させ、廃ガス処理を行うが、除塵・排気設備は従来から用いられている装置・設備を利用出来るので説明は省略する。
【００１６】
燃焼炉１の具体的構造としては、例えば、図７〜９に示す様に、前記主要躯体に付加して、内部には、火格子５１と壁部から間隔を約２〜１０ｃｍを目処に確保して穴あき鋼板５２が配設されている。そして、床部には灰受け鋼板５３が配設され、その下部には必要に応じて熱交換配管５４が配設される。そして、前記管状の貫通穴１３を利用して、燃焼開始時の着火バーナーの挿入や内部状況監視、および、温水または蒸気を製造する温水・蒸気製造配管６１、燃焼用給気管６２、燃焼材攪拌機６３、燃焼材攪拌装置６４、火格子の支持部材６５が配設される。尚、利用しない管状の貫通穴１３は封止キャップ６６で封止し、該封止キャップ６６は断熱材を付設することが好ましい。また、ユニット部材１０の外面には熱放散抑制のために断熱材６７が配設される。そして、下部開口部には給気調整および熱放散抑制のための調整扉６８が設置される。また、燃焼材攪拌装置６４は、攪拌部位６４ａの形状が、例えば、図１１に示す様に、火格子５１に嵌合する端部が傾斜角度を持った櫛状の部位を有した形態で、攪拌部位６４ａを自動または手動で往復運動が出来る様にして燃焼材を攪拌出来る様にしている。
【００１７】
そして、燃焼材の供給装置として、燃焼材供給ホッパー７１、燃焼材供給装置７２、燃焼材送り出し装置７３が配設される。そして、灰の回収のために、灰掻き取り機７４、灰回収箱７５が配設される。また、灰回収箱７５に関連して回収用ピットおよび回収用カバーが必要に応じて設置される。そして、燃焼材供給ホッパー７１には燃焼材がコンベア等で供給される様にされており、燃焼材供給装置７２は自動または手動で燃焼材供給出来る様な形態をなしている。そして、燃焼材送り出し装置７３は、送り出し部位７３ａの形状が、例えば、図１０に示す様に、台形の缶体形状で内部に部分的に熱放散抑制のための断熱材を付設した台形缶体部に火格子５１に嵌合する端部が傾斜角度を持った櫛状の部位を有した形態で、送り出し部位７３ａを自動または手動で往復運動が出来る様にして燃焼材を送り出し出来る様にしている。
【００１８】
本発明装置に用いる部材、機材、機器等は本発明の目的を達成出来る材質及び性能を有するものが用いられ、その範囲内においては限定されない。そして、燃焼熱の温水または蒸気変換においては、先ず、ユニット部材１０で温水・蒸気化の熱交換をし、次に、その温水または蒸気を温水・蒸気製造配管６１で更に高温の温水または蒸気とする様にすることにより利用価値が高い温水または蒸気が得られる様にする。
【００１９】
以上説明した様な装置形態をなすことにより、燃焼効率を高めることが出来て、燃焼熱を効率良く温水または蒸気に熱変換出来るようになる。そして、ユニット部材化することと従来方式の耐火レンガの使用を廃することにより、軽量な部材を運搬し現地で容易に組立出来る様になり、山間地等の道路事情の良くない場所でも容易に活用出来る様になる。
【００２０】
本装置に用いる廃ガス処理の除塵・排気設備次第では、石炭やプラスチック廃棄物等を燃焼材とした温水・蒸気製造装置および蒸気発電装置として活用出来る可能性もある。
【図面の簡単な説明】
【００２１】
【図１】本発明に用いるユニット部材の１例の平面図・背面図（ａ）平面図（ｂ）背        面図
【図２】図１の例の正面図・正面断面図の説明図（ｃ）正面図（ｄ）Ａ−Ａ断面図        （ｅ）Ｂ−Ｂ断面図（ｆ）Ｃ−Ｃ断面図
【図３】図１の例の側面図・側面断面図の説明図（ｇ）側面図（ｈ）Ｄ−Ｄ断面図        （ｉ）Ｅ−Ｅ断面図
【図４】ユニット部材の連結方法例図（ｊ）側面図（ｋ）断面図
【図５】燃焼炉におけるユニット部材の組付例の正面図
【図６】図５の例の平面図・側面図（ａ）平面図（ｂ）側面図−１（ｃ）側面図−２
【図７】図５の例の燃焼炉の正面断面図
【図８】図７の例の側面断面図
【図９】図７の例の平面断面図（ａ）Ｆ−Ｆ断面図（ｂ）Ｇ−Ｇ断面図
【図１０】燃焼材送り出し装置の送り出し部位説明図（ａ）平面図（ｂ）正面図      （ｃ）側面図（ｄ）側面断面図
【図１１】燃焼材攪拌装置の攪拌部位説明図（ｅ）平面図（ｆ）正面図（ｇ）側面図
【符号の説明】
【００２２】
１  ；燃焼炉
１０  ；ユニット部材
１１  ；ユニット部材の水を貯留可能な空間
１２  ；内部空間への注入・排出口
１３  ；外面となる面と内面となる面を連結する管状の貫通穴
１４  ；水抜き口
１５  ；ユニット部材連結用穴
１６  ；水流調整部材
２０  ；燃焼炉土台
３１  ；連結用ボルト・ナット
３２  ；連結用Ｌ字状部材
４０  ；送水連結配管
５１  ；火格子
５２  ；穴あき鋼板
６１  ；温水・蒸気製造配管
６２  ；燃焼用給気管
６３  ；燃焼材攪拌機
６４  ；燃焼材攪拌装置
６６  ；封止キャップ
６７  ；断熱材
７１  ；燃焼材供給ホッパー
７２  ；燃焼材供給装置
７３  ；燃焼材送り出し装置
７４  ；灰掻き取り機
９０  ；地盤面または土間コンクリート
【図１】
0004819755.tif 000002
【図２】
0004819755.tif 000003
【図３】
0004819755.tif 000004
【図４】
0004819755.tif 000005
【図５】
0004819755.tif 000006
【図６】
0004819755.tif 000007
【図７】
0004819755.tif 000008
【図８】
0004819755.tif 000009
【図９】
0004819755.tif 000010
【図１０】
0004819755.tif 000011
【図１１】
0004819755.tif 000012